(57)【要約】【課題】  外部から設定可能な複数の信号設定の変更を垂直帰線期間に行い、設定変更に伴う切り替えノイズが画面に現れない映像信号方式変換装置を提供する。【解決手段】  第１フォーマット映像信号を第２フォーマット映像信号に変換する入力処理手段４と、前記第２フォーマット映像信号の画像補正設定を行った後、出力する出力処理手段５と、第１フォーマット映像信号の変換設定や第２フォーマット映像信号の画像補正設定を行う信号設定手段２と、第１、第２映像信号の垂直帰線期間を検出する検出手段１６と、検出手段１６により前記第１、第２映像信号の垂直帰線期間が重なっていることが検出された場合に、前記第１、第２映像信号のうち、一方のフレームの垂直帰線期間に信号設定手段２により、前記変換設定又は前記画像補正設定のいずれかを実行させ、次のフレーム垂直帰線期間に他方を実行させる制御手段３と、を有する。【選択図】      図１
2006005865.tif 000002
【特許請求の範囲】
【請求項１】
第１フォーマットの第１映像信号の変換設定を行って、第２フォーマットの第２映像信号に変換する入力処理手段と、前記入力処理手段から出力される前記第２映像信号の画像補正設定を行って第２フォーマットの第３映像信号を出力させる出力処理手段と、前記第１映像信号の変換設定や前記第２映像信号の画像補正設定を行う信号設定手段と、を備え、前記信号設定手段から変換設定や画像補正設定を出力させて、前記第１フォーマットの第１映像信号から前記第２フォーマットの第２映像信号への変換及び前記第２映像信号の画像補正をする映像信号方式変換装置において、
前記第１、第２映像信号の垂直帰線期間を検出する検出手段と、
前記検出手段により前記第１、第２映像信号の垂直帰線期間が重なっていることが検出された場合に、前記第１、第２映像信号のうち、一方のフレームの垂直帰線期間に前記信号設定手段により、前記変換設定又は前記画像補正設定のいずれかを実行させ、次のフレーム垂直帰線期間に他方を実行させる制御手段と、
を有することを特徴とする映像信号方式変換装置。
【発明の詳細な説明】
【技術分野】
【０００１】
本発明は、入力した映像信号を、異なるフォーマットの映像信号に方式変換して出力する方式変換装置において、その信号設定の変更処理に関するものである。
【背景技術】
【０００２】
デジタル放送が開始され、放送局では、従来の標準テレビのほかＭＰＥＧ、ハイビジョンなどの新しい映像フォーマットが登場し、これら様々な映像フォーマットを相互に変換する方式変換装置が盛んに使われている。
【０００３】
これらスタジオ用の方式変換装置は、映像信号を方式変換すると同時に、出力信号の設定機能を持っており、出力信号の設定変更ができる。信号設定項目には、出力モード（レターボックス、サイドカットなど）、水平・垂直位置などの画像出力に関するもの、またノイズリダクション、輪郭補正などの画像特性に関するものなどがあり、ユーザはメニュー画面をみながらこれらの信号設定をすることができる。
【０００４】
従来の方式変換装置の設定変更処理について、図８〜図１０を用いて説明する。
図８は、方式変換装置の構成例を示すブロック図であり、方式変換装置は、信号処理部８１、信号設定部８２およびシステムコントロール部８３より構成されている。
信号処理部８１は、設定レジスタの信号設定値に従って、ハードウエア的に常時信号変換・処理を行っているもので、設定変更そのものは、信号設定値を設定レジスタに書き込むことで行われる。信号設定部８２は、信号設定のためのユーザインターフェースで、ユーザはメニュー画面からキーボードにより信号設定値を入力し、設定ボタンを押すことで、設定変更をシステムコントロール部に通知する。システムコントロール部８３は、これを受けて、プログラム処理により、信号設定部８２で入力された新しい信号設定値を信号処理部８１の設定レジスタへの書き込みを行う。以上のように、このメニューからの設定変更は、設定ボタンを押すことにより、リアルタイムに方式変換装置の出力映像に反映される。
【０００５】
このため、特にタイミングを規定しない場合、設定変更をすると、画面上に切り替え部がノイズとなって現れることがある。図９に、水平位置を変更した場合の画面例を示す。（A）は変更前の走査線画面、（B）は変更前後の走査線画面、（C）は変更前後の四角図形表示画面で、実線が変更前、破線が変更後を表す。図９（C）に示すように、設定変更のタイミングがたまたま画面の中央にきた場合は、画面中央に切り替え点がノイズとなって現れる。
【０００６】
またこれら設定切り替えは、垂直帰線期間に行うのがよいことが知られている（例えば、特許文献１参照。）。図１０に垂直帰線期間に切り替えた場合の画面例を示す。図９同様、（A）は変更前の走査線画面、（B）は変更前後の走査線画面、（C）は変更前後の四角図形表示画面で、いずれも上段が変更前、下段が変更後の画面である。設定変更のタイミングを垂直帰線期間とすれば、画面内では切り替えしていないため、切り替えノイズは目立たない。
【特許文献１】特許第３１２２１１２号公報（第２頁、図１）
【発明の開示】
【発明が解決しようとする課題】
【０００７】
しかしながら方式変換装置には、入力信号と出力信号があり、かつこれらの垂直同期位置はシステムの起動時の条件などにより一定しないで、重なり合うこともある。また信号設定項目によっては、複数の設定変更が必要な場合がある。このため、入出力の垂直同期位置が重なり、かつ複数の設定変更が必要な場合には、垂直帰線期間に処理しようとしても時間的に間に合わなくなるといった問題がある。
そこで、本発明は、上記のような問題点を解消するためになされたもので、信号設定の変更に伴う切り替えノイズを除去できると共に、垂直同期位置に影響されないような映像信号方式変換装置を提供することを目的とする。
【課題を解決するための手段】
【０００８】
本願発明は、第１フォーマットの第１映像信号の変換設定を行って、第２フォーマットの第２映像信号に変換する入力処理手段と、前記入力処理手段から出力される前記第２映像信号の画像補正設定を行って第２フォーマットの第３映像信号を出力させる出力処理手段と、前記第１映像信号の変換設定や前記第２映像信号の画像補正設定を行う信号設定手段と、を備え、前記信号設定手段から変換設定や画像補正設定を出力させて、前記第１フォーマットの第１映像信号から前記第２フォーマットの第２映像信号への変換及び前記第２映像信号の画像補正をする映像信号方式変換装置において、前記第１、第２映像信号の垂直帰線期間を検出する検出手段と、前記検出手段により前記第１、第２映像信号の垂直帰線期間が重なっていることが検出された場合に、前記第１、第２映像信号のうち、一方のフレームの垂直帰線期間に前記信号設定手段により、前記変換設定又は前記画像補正設定のいずれかを実行させ、次のフレーム垂直帰線期間に他方を実行させる制御手段と、を有することを特徴とする映像信号方式変換装置を提供する。
【発明の効果】
【０００９】
本発明によれば、第１、第２映像信号の垂直帰線期間を検出する検出手段と、前記検出手段により前記第１、第２映像信号の垂直帰線期間が重なっていることが検出された場合に、前記第１、第２映像信号のうち、一方のフレームの垂直帰線期間に前記信号設定手段により、前記変換設定又は前記画像補正設定のいずれかを実行させ、次のフレーム垂直帰線期間に他方を実行させる制御手段と、を有するので、入出力映像信号の垂直同期位置にかかわらず、画面上に信号設定の変更に伴う切り替えノイズが現れないような映像信号方式変換装置を提供することができる。
【発明を実施するための最良の形態】
【００１０】
以下に本発明の実施形態に係る発明の映像信号方式変換装置について、ハイビジョン（ＨＤＴＶともいう。）から標準テレビジョン（ＳＤＴＶともいう。）へのダウンコンバータを例に引きながら、図１〜図７を用いて説明する。
図１は、本願発明の実施形態における映像信号の方式変換装置を示すブロック構成図である。図２は、本願発明の実施形態における方式変換装置のシステムコントロール部の構成を示す図である。図３は、本願発明の実施形態におけるシステムコントロール部で、設定ボタンにより割り込み処理を行う「待ち行列書き込み処理」ルーチンのフローチャートである。図４は、本願発明の実施形態におけるシステムコントロール部で、入力処理垂直同期により割り込み処理を行う「入力処理設定レジスタ書き込み処理」ルーチンのフローチャートである。図５は、本願発明の実施形態におけるシステムコントロール部で、出力処理垂直同期により割り込み処理を行う「出力処理設定レジスタ書き込み処理」ルーチンのフローチャートである。図６は、本願発明の実施形態におけるシステムコントロール部で、設定処理が入力処理である場合の入力処理設定レジスタへの書き込みタイミング、または設定処理が出力処理である場合の出力処理設定レジスタへの書き込みタイミングを示すタイミングチャートである。図７は、本願発明の実施形態におけるシステムコントロール部で、設定処理が入力処理および出力処理である場合の入力処理設定レジスタ、出力処理設定レジスタへの書き込みタイミングを示し、（Ａ）は入力処理および出力処理の垂直同期が重なっていない場合、(Ｂ)は入力処理および出力処理の垂直同期が重なっていて、入力処理垂直同期が出力処理垂直同期に先行する場合、(Ｃ)は入力処理および出力処理の垂直同期が重なっていて、出力処理垂直同期が入力処理垂直同期に先行する場合のタイミングチャートである。図８は、本願発明の実施形態における従来方式の映像信号方式変換装置を示すブロック構成図である。図９は、本願発明の実施形態における映像信号方式変換装置で、水平位置の設定を、画面内のタイミングで切り替えた場合の画面例を示し、（Ａ）は変更前の走査線画面、（Ｂ）は変更前後の走査線画面、（Ｃ）は変更前後の四角形表示画面である。図１０は、本願発明の実施形態における映像信号方式変換装置で、水平位置の設定を、垂直同期のタイミングで切り替えた場合の画面を示す図であり、（Ａ）は変更前の走査線画面、（Ｂ）は変更前後の走査線画面、（Ｃ）は変更前後の四角形表示画面で、いずれも上段が変更前、下段が変更後の画面である。
【実施例１】
【００１１】
方式変換装置は、図１に示すように、従来の方式変換装置同様、信号変換・信号処理を行う信号処理部１、方式変換装置の信号設定を行う信号設定部２およびシステムコントロール部３により構成されている。
【００１２】
信号処理部１は、入力映像信号を信号変換・信号処理して出力するもので、図１に示すように、入力処理部４と前記入力処理部に接続された出力処理部５により構成されている。これら入力処理部４と出力処理部５は、それぞれ入力処理設定レジスタ６、出力処理設定レジスタ７を持ち、各設定レジスタの設定値にしたがって、リアルタイムに入力映像信号を信号処理して出力するものである。これら設定レジスタには、信号設定項目ごとに設定値が記憶されている。そして設定変更時には、設定レジスタに設定値を書き込むと同時に、新しい設定値に従って信号処理された出力信号に切り替えられる。
【００１３】
ここで入力処理、出力処理について説明する。
前記入力処理部４は、入力映像信号に対して、方式変換する時の画像範囲の選択、サンプル変換などの信号処理を行うもので、出力信号は、方式変換後の映像信号方式となる。たとえばハイビジョンのダウンコンバータの場合、入力処理部４は、ＨＤＴＶの画像を入力して、レターボックス表示とするかサイドカット表示とするか、またその時の水平・垂直の表示位置などの設定項目を、入力処理設定レジスタ６の信号設定値に合わせて、ＳＤＴＶの画像に変換して出力する。
またこれら入力処理は、入力映像信号に対して行っているので、設定変更を入力映像信号の垂直帰線期間に行えば、新しい設定への切り替えは帰線期間に行われて出力されるため、切り替えノイズは画面には現れない。
前記出力処理部５は、前記入力処理部４からの出力映像信号に対して、画質設定、出力画像の切り替えなどの信号処理を行い出力するものである。たとえばハイビジョンからのダウンコンバータも場合、出力処理部５は、入力処理部４から出力されたＳＤＴＶの画像を入力して、水平・垂直輪郭補正、バックカラー（無画部の色）などの設定項目を、出力処理設定レジスタ７の信号設定値に合わせて信号処理されたＳＤＴＶの画像を出力する。
またこれら出力処理は、入力処理部４出力を入力してその入力映像信号に対して行っているので、設定変更を出力処理部５への入力の垂直帰線期間に行えば、新しい設定への切り替えは帰線期間に行われて出力されるため、切り替えノイズは画面内には現れない。
【００１４】
また前記入力処理部４と前記出力処理部５は、それぞれ、入力処理部４への入力映像信号の垂直同期（以下簡単化のため、入力処理垂直同期ともいう。）、出力処理部５への入力映像信号の垂直同期（以下簡単化のため、出力処理垂直同期ともいう。）のタイミングで、後述システムコントロール部に割り込みをかけ、それぞれの設定レジスタ書き込みルーチンを起動させる機能を持つ。
【００１５】
次に、信号設定部２について説明する。
信号設定部２は、方式変換装置の信号設定を行うためのキーボード表示端末で、信号設定メニュー画面８、入力用キーボード９および設定ボタン１０より構成されている。
ユーザは、メニュー画面にしたがって、信号設定項目ごとに信号設定を行う。キーボードからの設定値は、バッファーメモリーに一時蓄えられるとともに、設定ボタンが押されることで、後述するように、システムコントロール部３へ割り込みがかかり、システムコントロール部の待ち行列書き込み処理ルーチン１２が起動する。
【００１６】
メニューの信号設定項目に対応する処理は、通常は入力処理または出力処理のどちらかとなるが、信号設定項目によっては入力処理と出力処理の両方の処理が必要な場合がある。例えば、ハイビジョンのダウンコンバータで、１６：９のＨＤＴＶの画像を、レターボックスによるＳＤＴＶとして表示する場合、入力処理でレターボックスにサンプル変換すると同時に、出力処理でレターボックスの無画部の色（バックカラー）を変更する。
これらの処理方法は、予め信号設定項目ごとに記憶されており、ユーザは指示されたメニューに従って二つの信号設定を行うことになる。
またこの場合の処理は、ユーザにとっては一つの設定変更であるため、方式変換装置としては、入力処理、出力処理の順に、高速に処理する必要がある。
【００１７】
次に、システムコントロール部３について説明する。
システムコントロール部３は、信号設定部２で設定された設定値を、適切なタイミングで、信号処理部の設定レジスタに書き込むものである。システムコントロール部３は、図２に示すように、メモリー１１に信号設定の待ち行列１５および設定レジスタ書き込み許可フラグ１６を備え、また、待ち行列書き込み処理１２、入力設定レジスタ書き込み処理１３および出力設定レジスタ書き込み処理１４の３つの割り込み処理ルーチンを備えている。以下順に説明する。
【００１８】
前記信号設定の待ち行列１５には、信号設定項目、処理方法（入力処理、出力処理）およびその信号設定項目の設定値が一時記憶される。そして待ち行列の信号設定は、待ち行列に書き込まれた順番に処理され、処理が終わったら消去される。
前記設定レジスタ書き込み許可フラグ１６は、入力処理設定レジスタ６および出力処理設定レジスタ７への書き込み可否を示す入力・出力共通のフラグである。
【００１９】
前記待ち行列書き込み処理ルーチン１２について、図３に示すフローチャートに従って説明する。前記待ち行列書き込み処理ルーチン１２は、設定ボタン１０による割り込みにより、信号設定の設定値を待ち行列１５に記録するものである。
設定ボタンが押され、待ち行列書き込み処理ルーチン１２がスタートすると、まず信号設定部２の設定バッファーの信号設定項目を読み取り、その設定の処理方法が、入力処理、出力処理、入力・出力処理かを判定し、信号設定項目が入力処理の場合はステップＳ３２へ、信号設定項目が入力・出力処理の場合はステップＳ３３へ、信号設定項目が出力処理の場合はステップＳ３４へ進む（ステップＳ３１）。
信号設定項目が入力処理の場合、信号設定項目、処理方法およびその設定値を待ち行列に書き込み（ステップＳ３２）、割り込みから抜ける。
信号設定項目が入力・出力処理の場合、まず入力処理側の信号設定項目、処理方法およびその設定値を待ち行列に書き込み（ステップＳ３３）、その後出力処理側の信号設定項目、処理方法およびその設定値を待ち行列に書き込み（ステップＳ３４）、割り込みから抜ける。
信号設定項目が出力処理の場合、信号設定項目、処理方法およびその設定値を待ち行列に書き込み（ステップＳ３５）、割り込みから抜ける。
【００２０】
前記入力設定レジスタ書き込み処理ルーチン１３について、図４に示すフローチャートに従って説明する。前記入力設定レジスタ書き込み処理ルーチン１３は、入力垂直同期のタイミングで、待ち行列の設定値を、入力処理部の設定レジスタ６に書き込むものである。
入力垂直同期により入力設定レジスタ書き込み処理ルーチン１３がスタートすると、まず待ち行列１５に設定待ちの項目があるかどうかチェックされ、無い場合は割り込みから抜ける。設定待ちが有る場合はステップＳ４２へとぶ（ステップＳ４１）。ステップＳ４２では、設定待ちの処理方式をチェックして、出力処理の場合は割り込みから抜ける。入力処理の場合は、次のステップＳ４３に進む（ステップＳ４２）。さらにステップＳ４３では、レジスタ書き込みが許可フラグ１６により設定レジスタの書き込みが許可されているかどうかチェックして、禁止されている場合は割り込みから抜ける。
書き込み可の場合は、レジスタ書き込みが許可フラグ１６を禁止として（ステップＳ４４）、待ち行列の設定値を、対応する信号設定項目の設定レジスタに書き込む（ステップＳ４５）。書き込み終わったらレジスタ書き込みが許可フラグ１６を書き込み可として（ステップＳ４６）、割り込みから抜ける。
ここでレジスタ書き込みが許可フラグの役割について説明する。待ち行列に入力処理と出力処理二つの信号設定が設定変更実行待ち状態にあり、かつ入力処理垂直同期と出力処理垂直同期が重なった場合、先に開始した設定変更の実行中は、レジスタ書き込み許可フラグは禁止となる。このため、他方の信号設定の設定変更はその垂直同期では実行できず、次の垂直同期による割り込みを待って設定変更することとなる。このように、二つの設定変更の衝突、すなわち設定変更を行う入力処理垂直同期と出力処理同期の重なりは、レジスタ書き込み許可フラグにより検出する。
【００２１】
前記出力設定レジスタ書き込み処理ルーチン１４について、図５にフローチャート示す。前記出力設定レジスタ書き込み処理ルーチン１４は、出力処理垂直同期のタイミングで、待ち行列の設定値を、出力処理部の設定レジスタ７に書き込むものである。この出力処理設定レジスタ書き込み処理ルーチンは、「入力」と「出力」の用語を入れ替えるだけで、前記入力処理設定レジスタ書き込み処理ルーチンと同じなので、説明は省略する。
【００２２】
以上、システムコントロール部の構成要素である、待ち行列１５、書き込みフラグ１６および３種の割り込み処理ルーチン１２，１３，１４の機能を説明した。次に、設定ボタンが押された場合の動作を、タイミングチャートを使って説明する。図６、図７のタイミングチャートはいずれも、垂直同期信号上に、設定ボタンの押されるタイミング範囲「設定」、および設定レジスタへの書き込みタイミング（垂直同期中の太い実線）を表している。
【００２３】
まず信号設定項目の処理方式が入力処理である場合のタイミングチャートを、図６に示す。「設定」範囲に押された設定ボタンにより、待ち行列書き込み処理ルーチン１２が起動して、設定値が待ち行列１５に書き込まれ、次の入力処理垂直同期により入力処理設定レジスタ書き込み処理ルーチン１３が起動して、図の太線で示す入力処理垂直帰線期間に入力処理設定レジスタ６に設定値が書き込まれ、設定変更される。
出力処理の場合も、同様に、出力処理垂直帰線期間に設定変更される。
【００２４】
信号設定項目の処理方式が入力処理・出力処理の両方が必要な場合、設定ボタンにより待ち行列書き込み処理ルーチン１２が起動して、まず入力処理の設定、次に出力処理の設定が待ち行列１５に書き込まれる。次に、入力・出力設定レジスタへの書き込みであるが、入力・出力処理の垂直同期がどのタイミングで来るかは不定である。そこで図７に示すようにタイミング関係を分類したタイミングチャートにより説明する。
図７（Ａ）（１）に、入力処理垂直同期と出力処理垂直同期の重なりがなく、入力処理垂直同期が出力処理垂直同期より先行して現れた場合の書き込みタイミングを示す。この場合、入力処理垂直同期のタイミングで入力処理設定レジスタ６に書き込み、その後の出力処理垂直同期のタイミングで出力処理設定レジスタ７に書き込むこととなる。
図７（Ａ）（２）に、入力処理垂直同期と出力処理垂直同期の重なりがなく、出力処理垂直同期が入力処理垂直同期より先行して現れた場合の書き込みタイミングを示す。この場合、出力処理設定レジスタへの書き込みは待ち行列の順番に反するため1回待ちとなり、最初に入力処理垂直同期のタイミングで入力処理設定レジスタ６に書き込み、その後出力処理垂直同期のタイミングで出力処理設定レジスタ７に書き込むこととなる。
図７（Ｂ）（１）に、入力処理垂直同期と出力処理垂直同期が重なっていて、入力処理垂直同期が出力処理垂直同期より先行して現れた場合の書き込みタイミングを示す。この場合、最初に入力処理垂直同期のタイミングで入力処理設定レジスタ６に書き込み、出力処理設定レジスタへの書き込みはレジスタ書き込み許可フラグ１６により1回待ちとなり、次の出力処理垂直同期のタイミングで出力処理設定レジスタ７に書き込むこととなる。
図７（Ｂ）（２）に、入力処理垂直同期と出力処理垂直同期が重なっていて、出力処理垂直同期が入力処理垂直同期より先行して現れた場合の書き込みタイミングを示す。この場合、出力処理設定レジスタへの書き込みは待ち行列の順番に反するため1回待ちとなり、最初に入力処理垂直同期のタイミングで入力処理設定レジスタ６に書き込み、さらにレジスタ書き込み許可フラグ１６により出力処理設定レジスタへの書き込みはもう1回待って、次の出力処理垂直同期のタイミングで出力処理設定レジスタへ７書き込むこととなる。
図７（Ｃ）（１）に、入力処理垂直同期と出力処理垂直同期が重なっていて、出力処理垂直同期が入力処理垂直同期より先行して現れた場合の書き込みタイミングを示す。この場合、入力処理垂直同期のタイミングで入力処理設定レジスタ６に書き込み、その後の出力処理垂直同期のタイミングで出力処理設定レジスタ７に書き込むこととなる。
図７（Ｃ）（２）に、入力処理垂直同期と出力処理垂直同期が重なっていて、出力処理垂直同期が入力処理垂直同期より先行して現れた場合の書き込みタイミングを示す。この場合、出力処理設定レジスタへの書き込みは待ち行列の順番に反するため1回待ちとなり、最初に入力処理垂直同期のタイミングで入力処理設定レジスタ６に書き込み、その後出力処理垂直同期のタイミングで出力処理設定レジスタ７に書き込むこととなる。
【００２５】
以上のように、本発明の実施形態によれば、上記した構成があるので、信号設定項目により入力処理は入力処理部４への入力信号の垂直帰線期間に、出力処理は出力処理部５への入力信号の垂直帰線期間に設定の切り替え処理を行っているため、画面上に設定の切り替えノイズが現れない映像信号方式変換装置を提供することができる。
また入力処理設定変更の垂直帰線期間と出力処理設定変更の垂直帰線期間が重なった場合、互いに先行した設定レジスタの書き込みの終了を待って、次の垂直同期で書き込みを開始するので、設定レジスタの書き込みには常に垂直帰線期間分の時間が確保されていることとなり、書き込み時間が足りなくなって破綻するようなことは起こらない。
さらに、一つの信号設定入力で、入力処理・出力処理の両方の設定変更が必要な信号設定項目では、入力処理が済んだデータに対して、出力処理する必要があるが、本実施例では、待ち行列の書き込み順序により、入力処理設定レジスタを先に、出力処理設定レジスタを後に書き込むようにしてこれを実現している。
【００２６】
なお以上の実施例は、入力と出力が周波数同期して、位相が非同期であるものとして説明したが、入力と出力が周波数・位相とも非同期の場合にも、そのまま適用可能である。
【図面の簡単な説明】
【００２７】
【図１】本願発明の実施形態における映像信号の方式変換装置を示すブロック構成図である。
【図２】本願発明の実施形態における方式変換装置のシステムコントロール部の構成を示す図である。
【図３】本願発明の実施形態におけるシステムコントロール部で、設定ボタンにより割り込み処理を行う「待ち行列書き込み処理」ルーチンのフローチャートである。
【図４】本願発明の実施形態におけるシステムコントロール部で、入力処理垂直同期により割り込み処理を行う「入力処理設定レジスタ書き込み処理」ルーチンのフローチャートである。
【図５】本願発明の実施形態におけるシステムコントロール部で、出力処理垂直同期により割り込み処理を行う「出力処理設定レジスタ書き込み処理」ルーチンのフローチャートである。
【図６】本願発明の実施形態におけるシステムコントロール部で、設定処理が入力処理である場合の入力処理設定レジスタへの書き込みタイミング、または設定処理が出力処理である場合の出力処理設定レジスタへの書き込みタイミングを示すタイミングチャートである。
【図７】本願発明の実施形態におけるシステムコントロール部で、設定処理が入力処理および出力処理である場合の入力処理設定レジスタ、出力処理設定レジスタへの書き込みタイミングを示し、（Ａ）は入力処理および出力処理の垂直同期が重なっていない場合、(Ｂ)は入力処理および出力処理の垂直同期が重なっていて、入力処理垂直同期が出力処理垂直同期に先行する場合、(Ｃ)は入力処理および出力処理の垂直同期が重なっていて、出力処理垂直同期が入力処理垂直同期に先行する場合のタイミングチャートである。
【図８】本願発明の実施形態における従来方式の映像信号方式変換装置を示すブロック構成図である。
【図９】本願発明の実施形態における映像信号方式変換装置で、水平位置の設定を、画面内のタイミングで切り替えた場合の画面例を示し、（Ａ）は変更前の走査線画面、（Ｂ）は変更前後の走査線画面、（Ｃ）は変更前後の四角形表示画面である。
【図１０】本願発明の実施形態における映像信号方式変換装置で、水平位置の設定を、垂直同期のタイミングで切り替えた場合の画面を示す図であり、（Ａ）は変更前の走査線画面、（Ｂ）は変更前後の走査線画面、（Ｃ）は変更前後の四角形表示画面で、いずれも上段が変更前、下段が変更後の画面である。
【符号の説明】
【００２８】
１…信号処理部、２…信号設定部、３…システムコントロール部、４…入力処理部、５…出力処理部、６…入力処理設定レジスタ、７…出力処理設定レジスタ、８…信号設定メニュー、９…キーボード、１０…設定ボタン、１１…メモリー、１２…待ち行列書き込み処理ルーチン、１３…入力処理設定レジスタ書き込み処理ルーチン、１４…出力処理設定レジスタ書き込み処理ルーチン、１５…待ち行列、１６…レジスタ書き込み許可フラグ
【図１】
2006005865.tif 000003
【図２】
2006005865.tif 000004
【図３】
2006005865.tif 000005
【図４】
2006005865.tif 000006
【図５】
2006005865.tif 000007
【図６】
2006005865.tif 000008
【図７】
2006005865.tif 000009
【図８】
2006005865.tif 000010
【図９】
2006005865.tif 000011
【図１０】
2006005865.tif 000012